(57)【要約】【課題】  印紙の貼り付けを考慮して領収書を発行することの可能な領収書発行装置を提供する。【解決手段】  本発明によれば，１の領収書における券面額が上限券面額以下となるように，１の領収書における券面額を算出する券面額算出部と，券面額算出部により算出された券面額の領収書を発行する領収書発行部とを備える領収書発行装置が提供される。領収書に記載する券面額に上限を設定することにより，１の領収書の券面額をすべて上限券面額以下とすることができる。例えば，上限券面額を，印紙の貼り付けが不要な額に設定することによって，印紙の貼り付けを不要とすることができる。【選択図】    図３
2007272419.tif 000002
【特許請求の範囲】
【請求項１】
１の領収書における券面額が上限券面額以下となるように，１の領収書における券面額を算出する券面額算出部と；
前記券面額算出部により算出された券面額の領収書を発行する領収書発行部と；
を備えることを特徴とする，領収書発行装置。
【請求項２】
前記領収書発行部は，券面額の総額が前記上限券面額より大きい場合，前記券面額算出部により算出された前記上限券面額以下の領収書を複数枚発行することを特徴とする，請求項１に記載の領収書発行装置。
【請求項３】
前記領収書発行部は，券面額の総額が前記上限券面額より大きい場合，前記上限券面額の領収書１枚以上と，前記上限券面額以下の領収書１枚を発行することを特徴とする，請求項１または２に記載の領収書発行装置。
【請求項４】
前記領収書発行部は，利用者から入力された金額の領収書を発行することを特徴とする，請求項１または２に記載の領収書発行装置。
【請求項５】
情報入力操作を受け付ける操作表示部をさらに備え，
前記領収書を発行する場合，
前記券面額算出部は，前記上限券面額以下の領収書の組み合わせを算出し，
前記操作表示部は，前記券面額算出部により算出された前記領収書の組み合わせを表示して，利用者に選択を求め，
前記領収書発行部は，前記利用者が選択した領収書を発行することを特徴とする，請求項１または２に記載の自動券売機。
【請求項６】
前記操作表示部は，領収書発行の際，発行する領収書枚数を表示することを特徴とする，請求項５に記載の自動券売機。
【請求項７】
乗車券類を発券する自動券売機に備えられることを特徴とする，請求項１〜６に記載の領収書発行装置。
【請求項８】
乗車券類を発券する自動券売機であって：
乗車券類発行のための案内を表示するとともに，情報入力操作を受け付ける操作表示部と；
乗車券の精算を行う精算部と；
１の領収書における券面額が上限券面額以下となるように，１の領収書における券面額を算出する券面額算出部と；
乗車券および領収書を発行する乗車券類発行部と；
を備えることを特徴とする，自動券売機。
【請求項９】
前記領収書発行部は，前記精算部における精算額が前記上限券面額より大きい場合，前記券面額算出部により算出された前記上限券面額以下の領収書を複数枚発行することを特徴とする，請求項８に記載の自動券売機。
【請求項１０】
前記領収書発行部は，前記精算部における精算額が前記上限券面額より大きい場合，前記上限券面額の領収書１枚以上と，前記上限券面額以下の領収書１枚を発行することを特徴とする，請求項８または９に記載の自動券売機。
【請求項１１】
前記領収書発行部は，利用者から入力された金額の領収書を発行することを特徴とする，請求項８または９に記載の自動券売機。
【請求項１２】
前記領収書を発行する場合，
前記券面額算出部は，前記上限券面額以下の領収書の組み合わせを算出し，
前記操作表示部は，前記券面額算出部により算出された前記領収書の組み合わせを表示して，利用者に選択を求め，
前記領収書発行部は，前記利用者が選択した領収書を発行することを特徴とする，請求項８または９に記載の自動券売機。
【請求項１３】
前記操作表示部は，領収書発行の際，発行する領収書枚数を表示することを特徴とする，請求項８〜１２のいずれかに記載の自動券売機。
【発明の詳細な説明】
【技術分野】
【０００１】
本発明は，領収書発行装置および自動券売機に関し，より詳細には，利用者の要求に応じて領収書を発行することの可能な，領収書発行装置および自動券売機に関する。
【背景技術】
【０００２】
乗車券を自動券売機から購入した場合，乗車券を購入したことを証明する領収書を発行するには窓口にて対応してもらう必要があった。このような煩雑さを解消するため，特許文献１には，自動券売機から購入した乗車券の領収書を発行するための領収書発行機が開示されている。
【０００３】
かかる領収書発行機は，少なくとも１の自動券売機と接続されており，入力された自動券売機を特定するデータおよび乗車券を特定するデータに基づいて，自動券売機から乗車券のデータを抽出し，領収書を発行する。
【０００４】
【特許文献１】特開平１０−３２６３６０号公報
【発明の開示】
【発明が解決しようとする課題】
【０００５】
しかし，上記領収書発行機は，自動券売機が１台しかない場合にも専用の領収書発行機を設ける必要があり，設置スペースを確保しなければならないという問題があった。また，かかる領収書発行機は，印紙について全く考慮されていなかった。
【０００６】
印紙は，印紙税を納付するための法定の紙片であり，印紙税を納付する際，印紙税の課税対象となる文書に印紙税額に相当する金額の印紙が貼り付けられる。現状，領収書の券面に表示する金額（以下，「券面額」とする。）が３万円以上となる場合には，所定の額の印紙を貼り付ける必要が生じる。所定の公的手続を行った場合には，領収書の券面額が３万円以上の場合にも印紙無しで領収書を発行することができるが，公的手続を行わない場合には，印紙を貼り付けなければならず，印紙貼り付け装置をさらに設ける必要があった。このため，装置の大型化，コスト増大を回避することは困難であった。
【０００７】
そこで，本発明は，上記問題に鑑みてなされたものであり，本発明の目的とするところは，印紙の貼り付けを考慮して領収書を発行することの可能な，新規かつ改良された領収書発行装置および自動券売機を提供することにある。
【課題を解決するための手段】
【０００８】
上記課題を解決するために，本発明のある観点によれば，１の領収書における券面額が上限券面額以下となるように，１の領収書における券面額を算出する券面額算出部と，券面額算出部により算出された券面額の領収書を発行する領収書発行部とを備えることを特徴とする，領収書発行装置が提供される。
【０００９】
本発明によれば，領収書に記載する券面額に上限を設定する（上限券面額の設定）。これにより，１の領収書の券面額をすべて上限券面額以下とすることができる。例えば，上限券面額を，印紙の貼り付けが不要な額に設定することによって，印紙の貼り付けを不要とすることができる。
【００１０】
ここで，領収書発行部は，券面額の総額が上限券面額より大きい場合，券面額算出部により算出された上限券面額以下の領収書を複数枚発行する。例えば，上限券面額の領収書１枚以上と，上限券面額以下の領収書１枚を発行してもよい。また，領収書発行部は，利用者から入力された金額の領収書を発行するようにしてもよい。
【００１１】
さらに，領収書発行装置は，情報入力操作を受け付ける操作表示部を備えてもよい。これにより，例えば，領収書を発行する場合に，券面額算出部によって，上限券面額以下の領収書の組み合わせを算出し，この算出された領収書の組み合わせを操作表示部に表示して，利用者に発行する領収書の組み合わせの選択を求めるようにすることができる。そして，領収書発行部は，利用者が選択した領収書を発行する。また，操作表示部は，領収書発行の際，発行する領収書枚数を表示して，利用者が領収書を取り忘れることを防止することができる。
【００１２】
このような領収書発行装置は，例えば，乗車券類を発券する自動券売機に備えることができる。
【００１３】
また，上記課題を解決するために，本発明の別の観点によれば，乗車券類を発券する自動券売機が提供される。かかる自動券売機は，乗車券類発行のための案内を表示するとともに，情報入力操作を受け付ける操作表示部と，乗車券の精算を行う精算部と，１の領収書における券面額が上限券面額以下となるように，１の領収書における券面額を算出する券面額算出部と，乗車券および領収書を発行する乗車券類発行部とを備えることを特徴とする。
【００１４】
本発明によれば，領収書に記載する券面額に上限を設定する。これにより，１の領収書の券面額をすべて上限券面額以下とすることができる。例えば，上限券面額を，印紙の貼り付けが不要な額に設定することによって，印紙の貼り付けを不要とすることができ，新たに印紙貼り付け装置を備えなくとも，自動券売機にて領収書の発行が可能となる。
【００１５】
ここで，領収書発行部は，精算部における精算額が前記上限券面額より大きい場合，券面額算出部により算出された上限券面額以下の領収書を複数枚発行する。例えば，領収書発行部は，精算部における精算額が上限券面額より大きい場合，上限券面額の領収書１枚以上と，上限券面額以下の領収書１枚を発行してもよい。また，領収書発行部は，利用者から入力された金額の領収書を発行するようにしてもよい。
【００１６】
さらに，自動券売機にて領収書を発行する場合，券面額算出部によって，上限券面額以下の領収書の組み合わせを算出し，この算出された領収書の組み合わせを操作表示部に表示して，利用者に発行する領収書の組み合わせの選択を求めるようにすることができる。そして，領収書発行部は，利用者が選択した領収書を発行する。
【００１７】
また，操作表示部は，領収書発行の際，発行する領収書枚数を表示するようにしてもよい。これにより，利用者が領収書を取り忘れることを防止することができる。
【発明の効果】
【００１８】
以上説明したように本発明によれば，印紙の貼り付けを考慮して領収書を発行することの可能な領収書発行装置および自動券売機を提供することができる。
【発明を実施するための最良の形態】
【００１９】
以下に添付図面を参照しながら，本発明の好適な実施の形態について詳細に説明する。なお，本明細書及び図面において，実質的に同一の機能構成を有する構成要素については，同一の符号を付することにより重複説明を省略する。
【００２０】
まず，図１に基づいて，本発明の実施形態にかかる自動券売機１００について説明する。ここで，図１は，本実施形態にかかる自動券売機１００の概略を示すブロック図である。
【００２１】
本実施形態にかかる自動券売機１００は，乗車券を購入する利用者が操作を行う装置であり，図１に示すように，装置全体の制御を行う制御部１１０と，乗車券類発行のための案内を表示するとともに，情報入力操作を受け付けるタッチパネル付き表示部１２０と，乗車券購入の代金処理を行うための硬貨部１３０，紙幣部１４０と，乗車券購入の代金処理を行うためのカードを処理するカード処理部１５０と，乗車券類の発行を行う発行部１６０と，乗車券類の発券処理のために必要な各種情報や処理プログラム等を記憶する記憶部１７０と，ホストとの通信を行う通信部１８０とを備える。
【００２２】
制御部１１０は，例えばＣＰＵ等からなり，所定の制御プログラム（例えば，後述の記憶部１７０に記憶されているプログラム）に基づいて，乗車券類発行処理等を実行し，自動券売機１００の全体を制御する機能部である。
【００２３】
タッチパネル付き表示部１２０は，本発明の操作表示部の一例であり，乗車券類発行のための案内を表示するとともに，情報入力操作を受け付ける機能部である。タッチパネル付き表示部１２０には，乗車券類の購入や領収書発行等の案内画面を切り替えて表示可能な表示部を備える。表示部には，例えばＣＲＴディスプレイ，液晶ディスプレイ，プラズマディスプレイ等を用いることができる。さらに，表示部は，利用者が指などでディスプレイ表面に触れることで各種操作を行うことの可能なタッチパネル方式を採用している。タッチパネル付き表示部１２０には，例えば，５０音のカナ入力ボタンや乗車券購入ボタン等が表示される。利用者は，タッチパネル付き表示部１２０のタッチパネルに指などで触れることで，乗車券類の発行操作を行うことができる。
【００２４】
硬貨部１３０および紙幣部１４０は，乗車券購入の代金処理を行うための機能部である。硬貨部１３０は硬貨の入出金を扱い，例えば複数枚の硬貨をまとめて投入することができる。紙幣部１４０は紙幣の入出金を扱う。
【００２５】
カード処理部１５０は，乗車券購入の代金処理を行うためのカードを処理する機能部である。カード処理部１５０は，代金処理用のカードとして，クレジットカードやプリペイドカード等を処理する。プリペイドカードとしては，例えば，ＩＣ（Ｉｎｔｅｇｒａｔｅｄ  Ｃｉｒｃｕｉｔ）カードや磁気カード等を使用することができる。また，定期券の更新を行う場合には，定期券発行用のカード（ＩＣカードまたは磁気カード）を挿入することもできる。
【００２６】
発行部１６０は，乗車券類の発行を行う機能部である。本実施形態にかかる発行部１６０は，乗車券や指定券等の発行を行うとともに，領収書の発行を行う。発行部１６０は，乗車券や指定券等の印刷発行用の磁気面付き用紙に領収内容を印刷して発行する。
【００２７】
記憶部１７０は，乗車券類の発券処理のために必要な各種情報や処理プログラム等を記憶する機能部である。記憶部１７０は，例えば，ＲＯＭやＲＡＭ等の半導体メモリ，フロッピー（登録商標）ディスク（ＦＤ）が装着されるＦＤドライバ，ハードディスク（ＨＤ）が装着されるＨＤドライバ，光磁気（ＭＯ）ディスクが装着されるＭＯドライバ等からなる。また，記憶部１７０は，利用者から入力される各種情報を，一時的に，あるいは一定期間記憶保持するようにしてもよい。
【００２８】
通信部１８０は，ホスト２００と通信するための機能部である。また，ホスト２００は，通信回線を介して自動発券機１００と接続され，乗車券類発行処理のための各種情報を管理する。例えば，列車座席の予約情報の管理を行い，自動券売機１００の要求に応じて列車の空席情報を返信したり，座席の予約を行う。なお，ホスト２００は，定期的に自動発券機１００の記憶部１７０との間で情報の授受を行うようにしてもよい。すなわち，ホスト２００が管理する情報のうち少なくとも一部は，自動券売機１００の記憶部１７０に，一時的に，あるいは一定期間記憶保持されるようにしてもよい。
【００２９】
以上，本実施形態にかかる自動券売機１００について説明した。次に，図２〜８に基づいて，本実施形態にかかる自動券売機１００の乗車券・領収書発行処理について説明する。ここで，図２は，本実施形態にかかる自動券売機１００の領収書発行処理を示すフローチャートである。図３は，領収書データ作成処理を示すフローチャートである。図４〜７は，自動券売機１００のタッチパネル付き表示部１２０に表示される情報を示す説明図である。図８は，発行される領収書の一例を示す説明図である。なお，以下では，１枚１５０００円の指定席乗車券４枚（購入金額７００００円）の発券を例として説明するが，本発明はかかる例に限定されず，例えば定期券，特急券等を発券する場合でもよい。
【００３０】
＜１．乗車券予約処理（ステップＳ１０１〜Ｓ１０５）＞
まず，乗車券の予約処理について説明する。乗車券を購入する利用者（乗車券購入者）は，自動券売機１００のタッチパネル付き表示部１２０に表示される案内にしたがって，希望する乗車券を予約する。この際，利用者は，「指定席券」，「自由席券」，「定期券」等の券種，乗車駅および下車駅，乗車日，乗車時刻，乗車人数等の予約情報を順に入力する。予約情報は，タッチパネル付き表示部１２０に表示された所定の領域を指で直接触れることにより，選択することができる。
【００３１】
利用者が予約情報を入力し終えると，自動発券機１００は，ホスト２００に列車の空席照会を要求するとともに，予約情報をホスト２００へ送信する。空席照会の要求を受けたホスト２００は列車の空席を検索し，予約の可否を自動券売機１００へ通知する。
【００３２】
予約可能であった場合，自動発券機１００は，乗車券の購入条件を確定し，ホスト２００に座席の予約登録を依頼する（ステップＳ１０１）。予約登録依頼を受けたホスト２００は，予約登録を行い（ステップＳ１０３），予約登録が完了した旨の情報を自動券売機１００へ通知する（ステップＳ１０５）。
【００３３】
＜２．乗車券発券処理（ステップＳ１０７〜Ｓ１１７，Ｓ１２９〜Ｓ１３３）＞
次に，乗車券の発券処理について説明する。ステップＳ１０５において乗車券の予約が完了すると，自動券売機１００は，乗車券の発券要求をホスト２００へ通知する（ステップＳ１０７）。乗車券の発券要求を受けたホスト２００は，乗車券の券面データを作成する（ステップＳ１０９）。かかるステップにおいて，乗車券の印刷用データが作成される。乗車券の券面データが作成されると，自動券売機１００に作成された券面データが送信される（ステップＳ１１１）。
【００３４】
なお，乗車券の券面データの作成はホスト２００にて行ったが，自動券売機１００にて作成してもよい。この場合，例えば，ステップＳ１０７の発券要求ステップにおいて，乗車券の券面データを作成すればよい。
【００３５】
次いで，乗車券の券面データを受信した自動券売機１００は，購入金額と乗車券代金の支払いを促す案内とをタッチパネル付き表示部１２０に表示し，利用者に通知する（ステップＳ１１３）。支払いは，例えば，現金，クレジットカードまたはプリペイドカード等により行うことができる。例えば，現金やプリペイドカードによる支払いを行った場合には，図４に示すように，乗車券の購入金額と，投入された金額とが表示される投入金額表示画面が表示されるようにしてもよい。図４は，乗車券の購入金額７００００円に対し，利用者が１００００円を投入した状態を示している。一方，クレジットカードによる支払いを行った場合には，クレジットカードの認証処理が行われる。なお，ステップＳ１１３の処理を中止する場合，すなわち，乗車券の購入を中止する場合には，タッチパネル付き表示部１２０に表示された「取消」の領域を指等で触れることにより，購入処理が中止される。
【００３６】
利用者が，購入金額以上の現金を投入したり，プリペイドカードにより入金を行ったり，クレジットカードの認証がなされた場合，すなわち，満額確定した場合には決済がなされる（ステップＳ１１５）。決済が完了すると，自動券売機１００は，発券部１６０による乗車券の発券処理を開始する（ステップＳ１１７）。その後，乗車券を発券し（ステップＳ１２９），乗車券発券が完了した旨の内容をホスト２００へ通知する（ステップＳ１３１）。乗車券は，決済が完了した後直ちに発行してもよく，後述するように領収書が発行される場合には，領収書の発行と合わせて発行してもよい。そして，乗車券発券完了通知を受けたホスト２００は，乗車券発券完了登録を行う（ステップＳ１３３）。
【００３７】
＜３．領収書発行処理（ステップＳ１１９〜Ｓ１２７，Ｓ１３５〜Ｓ１４３）＞
次に，領収書の発行処理について説明する。上記ステップＳ１１７において，乗車券の発券処理が開始されると，例えば図５に示すような，領収書発行確認画面がタッチパネル付き表示部１２０に表示される（ステップＳ１１９）。領収書発行確認画面は，乗車券の発券処理中に，購入した乗車券の領収書発行の要否を利用者に問い合わせるために表示される。領収書が必要な利用者は，例えば，図５のタッチパネル付き表示部１２０に表示された「領収書」の領域を指等で触れることにより，自動券売機１００において領収書発行処理が実行され，領収書発行依頼がホスト２００に通知される（ステップＳ１２１）。
【００３８】
ステップＳ１２１では，領収書発行依頼とともに，領収書を作成する際に必要なデータ（決済データ）がホスト２００へ送信される。決済データは，例えば，利用年月日（乗車券購入日），利用金額（購入金額），決済手段，乗車券の券通番，乗車券の発券枚数等からなる。決済データに基づいて，ホスト２００は，領収書データを作成する。
【００３９】
このように，乗車券の発券処理中に領収書の要否を利用者に問合せ，領収書が必要な利用者に対して領収書発行処理を行う。これにより，領収書発行機能の見落としを防止するとともに，乗車券および領収書の発券に要する処理時間を短縮することができる。
【００４０】
次いで，領収書発行依頼を受けたホスト２００は（ステップＳ１２３），領収書データを作成する（ステップＳ１２５）。本実施形態では，領収書データの作成において，印紙の貼り付けが不要となるような領収書データを作成することを特徴とする。そこで，印紙の貼り付けが不要である最大の金額を上限券面額として設定し，券面額が上限券面額以下となるような領収書データを作成する。ここで，現行，印紙税は，券面額が３００００円未満の場合には非課税であるため，印紙の貼り付けは不要である。したがって，上限券面額を２９９９９円以下に設定し，券面額が上限券面額を超える場合には，領収書に記載する券面額が上限券面額以下となるように領収書を複数にする処理が行われる。
【００４１】
ここで，図３に基づいて，ステップＳ１２５における領収書データ作成処理について説明する。図３に示すように，まず，自動券売機１００により購入した乗車券の合計金額が上限券面額より大きいか否かを判定する（ステップＳ１２５１）。乗車券の購入金額が上限券面額より大きい場合，購入金額を券面額とすると印紙税がかかるため，領収書に印紙を貼り付ける必要がある。このため，領収書を複数枚とすることにより，１の領収書に記載する券面額が上限限度額以下となるようにする（ステップＳ１２５３）。例えば，上限券面額を２９９９９円に設定した場合，図５のように購入金額が７００００円であれば，購入金額が上限券面額より大きいため，複数枚の領収書が発行されることになる。
【００４２】
領収書を複数枚発行する場合において，各領収書に記載する券面額を決定する方法として，例えば，上限券面額の領収書１枚以上と，上限券面額以下の領収書１枚を発行することができる。図５の例であれば，券面額が２９９９９円の領収書２枚と，券面額が１０００２円の領収書１枚との計３枚の領収書が発行される。これらの領収書は，すべて３００００円未満であるため，印紙の貼り付けは不要である。
【００４３】
このように算出された記載券面額に基づいて，購入金額が上限券面額より大きい場合には，複数の領収書データが作成される（ステップＳ１２５５）。一方，購入金額が３００００円未満であった場合は，購入金額を券面額として，１の領収書データが作成される。
【００４４】
なお，領収書データの作成はホスト２００にて行ったが，自動券売機１００にて作成してもよい。この場合，例えば，ステップＳ１２１の領収書発行依頼ステップにおいて，領収書データが作成される。
【００４５】
作成された領収書データは，ホスト２００から自動券売機１００へ送信される（ステップＳ１２７）。そして，自動券売機１００は，ホスト２００から領収書データを受信した場合には（ステップＳ１３５），領収書データに基づいて，少なくとも１の領収書を発行する（ステップＳ１３７）。例えば，図８に示すように，利用年月日，利用金額，決済手段，購入品，乗車券の券通番，乗車券の発券枚数等の決済データが記載された領収書が発行される。この際，タッチパネル付き表示部１２０の表示部に，例えば，図６に示すような発行画面が表示させることができる。
【００４６】
発行画面には，例えば，図６に示すように，乗車券（きっぷ）および領収書の発行枚数を表示させてもよい。また，発行される乗車券および領収書の発行枚数を，音声により利用者に通知してもよい。これにより，利用者が，発行された乗車券および領収書を取り忘れることを防止することができる。
【００４７】
一方，ステップＳ１１９において領収書の発行は不要であると判定された場合には，図７に示すように，乗車券（きっぷ）の発行枚数のみをタッチパネル付き表示部１２０の表示部に表示させることができる。
【００４８】
自動券売機１００による領収書発行が完了すると，自動券売機１００からホスト２００へ領収書発行が完了した旨の内容がホスト２００へ通知される（ステップＳ１３７）。そして，ホスト２００は，領収書発行完了通知を受けた場合（ステップＳ１４１），領収書発行完了登録を行う（ステップＳ１４３）。
【００４９】
以上，本実施形態にかかる自動券売機１００による乗車券・領収書発行処理について説明した。このような発行処理では，購入金額が上限券面額を超えてしまい，印紙の貼り付けが必要となる場合には，上限券面額以下の領収書を複数枚発行する。これにより，印紙の貼り付けが必要な領収書は発行されないので，印紙貼り付け装置をさらに設ける必要がなくなる。
【００５０】
ここで，ステップＳ１２５３における領収書分割処理は，上記例に限定されず，様々な方法が考えられる。以下に，図９および図１０に基づいて，領収書分割処理の変形例を示す。ここで，図９は，券面額入力画面を示す説明図である。また，図１０は，領収書選択画面を示す説明図である。
【００５１】
（変形例１）
変形例１として，領収書の券面額を利用者により決定させる方法が考えられる。すなわち，利用者が，図５に示す領収書発行確認画面において領収書ボタンを押下した場合には，タッチパネル付き表示部１２０に，図９に示すような券面額入力画面を表示させる。券面額入力画面には，例えば，図９に示すように，購入金額，領収書に記載される額（券面額），および領収書を発行していない残金が表示される。さらに，金額を入力するための数字キーや，「円」キー，確定キー等が表示されており，利用者は，これらの入力キーを用いて，領収書に記載する券面額を入力する。
【００５２】
上記実施形態の例と同様，例えば，乗車券を７００００円購入したとする。このとき，購入金額欄には「７００００円」が表示されている。そして，利用者が，２００００円の領収書を発行するために，入力キーを用いて２００００円を入力すると，券面額欄に「２００００円」と表示される。そして，購入金額から券面額を差し引いた金額「５００００円」が残金欄に表示される。その後，確定ボタンを押下することにより，券面額欄に表示された券面額の１の領収書データが作成される。これらの処理を，残金が０となるまで繰り返す。
【００５３】
この際，利用者が上限券面額を超えた金額を入力して確定ボタンを押下した場合には，上限券面額以下の金額を入力するよう，タッチパネル付き表示部１２０にエラー画面を表示して，券面額を再入力させてもよい。これにより，印紙の貼り付けが必要な領収書が作成されることを防止することができる。
【００５４】
（変形例２）
変形例２として，発行する領収書の組み合わせを利用者に選択させる方法が考えられる。利用者が，図５に示す領収書発行確認画面において領収書ボタンを押下した場合に，図１０に示すような領収書選択画面に遷移して，タッチパネル付き表示部１２０に表示する。領収書選択画面には，例えば，図１０に示すように，発行する領収書の組み合わせが少なくとも１つ表示される。
【００５５】
表示する領収書の組み合わせは，例えば，上記実施形態において説明したように，上限券面額の領収書１枚以上と上限券面額以下の領収書１枚との組み合わせや，領収書の発行枚数が最小となる組み合わせ，複数の乗車券を購入している場合には各乗車券の金額に基づく組み合わせ等が考えられる。このように，様々に考えられる領収書の組み合わせのうち，領収書選択画面に優先して表示させる組み合わせや，表示させる数は，ユーザ（自動発券機を設置する会社等）により設定することができる。
【００５６】
利用者が希望する領収書の組み合わせがない場合には，直接入力ボタンを押下して，変形例１に示した券面額入力画面を表示させ，直接券面額を入力可能にすることもできる。
【００５７】
このように，券面額入植画面や領収書選択画面等を用いることにより，利用者の要望に沿った領収書を発行することが可能となる。
【００５８】
以上，添付図面を参照しながら本発明の好適な実施形態について説明したが，本発明は係る例に限定されないことは言うまでもない。当業者であれば，特許請求の範囲に記載された範疇内において，各種の変更例または修正例に想到し得ることは明らかであり，それらについても当然に本発明の技術的範囲に属するものと了解される。
【００５９】
例えば，上記実施形態において，購入金額が上限券面額を超える場合には，複数枚の領収書が発行されたが，本発明はかかる例に限定されず，例えば，１枚の用紙に，複数の領収書データを表示させてもよい。
【００６０】
また，上記実施形態において，複数枚の領収書が発行される場合，それぞれの領収書データが作成される（ステップＳ１２５の処理）としたが，本発明はかかる例に限定されない。例えば，同じ券面額の領収書を複数発行する場合には，１の領収書データを作成し，かかる領収書データをもとに領収書を複数枚発行するようにしてもよい。
【産業上の利用可能性】
【００６１】
本発明は，領収書発行装置および自動券売機に適用可能であり，特に利用者の要求に応じて領収書を発行することの可能な，領収書発行装置および自動券売機に適用可能である。
【図面の簡単な説明】
【００６２】
【図１】本発明の実施形態にかかる自動券売機の概略を示すブロック図である。
【図２】同実施形態にかかる自動券売機の乗車券・領収書発行処理を示すフローチャートである。
【図３】領収書データ作成処理を示すフローチャートである。
【図４】投入金額表示画面を示す説明図である。
【図５】領収書発行確認画面を示す説明図である。
【図６】領収書が発行される場合の発行画面を示す説明図である。
【図７】領収書が発行されない場合の発行画面を示す説明図である。
【図８】発行される領収書の一例を示す説明図である。
【図９】券面額入力画面を示す説明図である。
【図１０】領収書選択画面を示す説明図である。
【符号の説明】
【００６３】
１００      自動券売機
１１０      制御部
１２０      タッチパネル付き表示部
１３０      硬貨部
１４０      紙幣部
１５０      カード処理部
１６０      発行部
１７０      記憶部
１８０      通信部
２００      ホスト
【図１】
2007272419.tif 000003
【図２】
2007272419.tif 000004
【図３】
2007272419.tif 000005
【図４】
2007272419.tif 000006
【図５】
2007272419.tif 000007
【図６】
2007272419.tif 000008
【図７】
2007272419.tif 000009
【図８】
2007272419.tif 000010
【図９】
2007272419.tif 000011
【図１０】
2007272419.tif 000012